(57)【要約】【課題】製造コストを増加することなく水深の検出を行うことができる携帯電子機器を提供すること。【解決手段】本発明の携帯電子機器１は、所定の押圧力での押圧操作を検出する操作検出部１０１と、浸水状態を検出する浸水状態検出部１０２と、押圧力と水深とが対応付けられた第１の情報を記憶する記憶部１０３と、報知部１０４と、浸水状態検出部１０２により浸水状態が検出されていない状態で操作検出部１０１により押圧操作が検出されると当該押圧操作に応じた第１の制御を行い、浸水状態検出部１０２により浸水状態が検出された状態で操作検出部１０１により押圧操作が検出されると、押圧操作に伴う押圧力と第１の情報とに基づいて水深を割り出すと共に、割り出された水深の結果を報知部１０４により報知する第２の制御を行う制御部１０５と、を有する。【選択図】図５
2010035053.tif 000002
【特許請求の範囲】
【請求項１】
所定の押圧力での押圧操作を検出する操作検出部と、
浸水状態を検出する浸水状態検出部と、
押圧力と水深とが対応付けられた第１の情報を記憶する記憶部と、
報知部と、
前記浸水状態検出部により浸水状態が検出されていない状態で前記操作検出部により押圧操作が検出されると当該押圧操作に応じた第１の制御を行い、前記浸水状態検出部により浸水状態が検出された状態で前記操作検出部により押圧操作が検出されると、前記押圧操作に伴う押圧力と前記第１の情報とに基づいて水深を割り出すと共に、前記割り出された水深の結果を前記報知部により報知する第２の制御を行う制御部と、を有することを特徴とする携帯電子機器。
【請求項２】
前記操作検出部は、第１の押圧力での押圧操作を検出する第１の操作検出部と、第２の押圧力での押圧操作を検出する第２の操作検出部と、を有し、
前記制御部は、前記浸水状態検出部により浸水状態が検出された状態で前記第１の操作検出部により押圧操作が検出されると、前記第１の押圧力と前記第１の情報とに基づいて水深を割り出し、前記第２の操作検出部により押圧操作が検出されると、前記第２の押圧力と前記第１の情報とに基づいて水深を割り出す、ことを特徴とする請求項１に記載の携帯電子機器。
【請求項３】
前記制御部は、前記第２の制御を行う場合には前記第１の制御を抑制する、ことを特徴とする請求項１又は請求項２に記載の携帯電子機器。
【請求項４】
前記報知部は、光を照射する光照射部を有し、
前記制御部は、前記割り出された水深の結果を前記光照射部による光の照射により報知する、ことを特徴とする請求項１乃至請求項３のいずれか一項に記載の携帯電子機器。
【請求項５】
複数のキーを有して構成されるテンキーを有し、
前記操作検出部は、前記テンキーを構成する前記複数のキーそれぞれに対する押圧操作を検出可能に構成され、
前記光照射部は、前記テンキーを構成する前記複数のキーそれぞれを照射可能に構成され、
前記記憶部は、水深と前記テンキーを構成する前記複数のキーそれぞれに割り当てられた数字とが対応付けられた第２の情報を記憶し、
前記制御部は、前記割り出された水深と前記第２の情報とに基づいて当該割り出された水深に対応する数字を割り出すと共に、前記光照射部により前記割り出された数字が割り当てられたキーに光を照射する、ことを特徴とする請求項４に記載の携帯電子機器。
【請求項６】
前記記憶部は、前記第２の情報として、水深の基準値と前記テンキーを構成する前記複数のキーのうち数字の１が割り当てられたキーとを対応付けて記憶すると共に、前記水深の基準値に自然数を乗じて得た値と、前記テンキーを構成する前記複数のキーのうち当該自然数が割り当てられたキーと、を対応付けて記憶する、ことを特徴とする請求項５に記載に携帯電子機器。
【発明の詳細な説明】
【技術分野】
【０００１】
本発明は、押圧操作を検出する操作検出部を有する携帯電子機器に関する。
【背景技術】
【０００２】
近年、雨や埃等による影響を軽減するために、防水機能を付加した携帯端末が市場に提供されている。例えば、特許文献１では、水圧値を検出する水圧センサを備えた水深計付携帯電子機器が提案されている。
【特許文献１】特開平７−２１８６６２号公報
【発明の開示】
【発明が解決しようとする課題】
【０００３】
しかしながら、特許文献１で提案された水深計付携帯電子機器では、別途水圧センサを具備させることが必要なため製造コストの増加に繋がっていた。
【０００４】
したがって、本発明は、製造コストを増加することなく水深の検出を行うことができる携帯電子機器を提供することを目的とする。
【課題を解決するための手段】
【０００５】
（１）本発明に係る携帯電子機器は、上記課題を解決するために、所定の押圧力での押圧操作を検出する操作検出部と、浸水状態を検出する浸水状態検出部と、押圧力と水深とが対応付けられた第１の情報を記憶する記憶部と、報知部と、前記浸水状態検出部により浸水状態が検出されていない状態で前記操作検出部により押圧操作が検出されると当該押圧操作に応じた第１の制御を行い、前記浸水状態検出部により浸水状態が検出された状態で前記操作検出部により押圧操作が検出されると、前記押圧操作に伴う押圧力と前記第１の情報とに基づいて水深を割り出すと共に、前記割り出された水深の結果を前記報知部により報知する第２の制御を行う制御部と、を有することを特徴とする。
【０００６】
（２）本発明では、（１）の携帯電子機器において、前記操作検出部は、第１の押圧力での押圧操作を検出する第１の操作検出部と、第２の押圧力での押圧操作を検出する第２の操作検出部と、を有し、前記制御部は、前記浸水状態検出部により浸水状態が検出された状態で前記第１の操作検出部により押圧操作が検出されると、前記第１の押圧力と前記第１の情報とに基づいて水深を割り出し、前記第２の操作検出部により押圧操作が検出されると、前記第２の押圧力と前記第１の情報とに基づいて水深を割り出す、ことが好ましい。
【０００７】
（３）本発明では、（１）又は（２）の携帯電子機器において、前記制御部は、前記第２の制御を行う場合には前記第１の制御を抑制する、ことが好ましい。
【０００８】
（４）本発明では、（１）乃至（３）の携帯電子機器において、前記報知部は、光を照射する光照射部を有し、前記制御部は、前記割り出された水深の結果を前記光照射部による光の照射により行う、ことが好ましい。
【０００９】
（５）本発明では、（４）の携帯電子機器において、複数のキーを有して構成されるテンキーを有し、前記操作検出部は、前記テンキーを構成する前記複数のキーそれぞれに対する押圧操作を検出可能に構成され、前記光照射部は、前記テンキーを構成する前記複数のキーそれぞれを照射可能に構成され、前記記憶部は、水深と前記テンキーを構成する前記複数のキーそれぞれに割り当てられた数字とが対応付けられた第２の情報を記憶し、
前記制御部は、前記割り出された水深と前記第２の情報とに基づいて当該割り出された水深に対応する数字を割り出すと共に、前記光照射部により前記割り出された数字が割り当てられたキーに光を照射する、ことが好ましい。
【００１０】
（６）本発明では、（５）の携帯電子機器において、前記記憶部は、前記第２の情報として、水深の基準値と前記テンキーを構成する前記複数のキーのうち数字の１が割り当てられたキーとを対応付けて記憶すると共に、前記水深の基準値に自然数を乗じて得た値と、前記テンキーを構成する前記複数のキーのうち当該自然数が割り当てられたキーと、を対応付けて記憶する、ことが好ましい。
【発明の効果】
【００１１】
本発明によれば、製造コストを増加することなく水深の検出を行うことができる携帯電子機器を提供できる。
【発明を実施するための最良の形態】
【００１２】
以下、図面を参照して本発明を実施するための最良の形態を説明する。なお、以下、携帯電子機器の一例として携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等のアンテナを備えた他の通信機器であっても良い。
【００１３】
図１は、ホスト装置と通信を行う本発明に係る携帯電子機器の一例である携帯電話装置１の外観斜視図を示す。また、図２は、携帯電話装置１を折畳んだ状態の斜視図を示す。
【００１４】
携帯電話装置１は、図１及び図２に示すように、表面がフロントパネル２ａとフロントケース２ｂとリアケース２ｃと図示しないリアパネル２ｄとにより構成される操作部側筐体部２と、表面がフロントパネル３ａとフロントケース３ｂとリアケース３ｃとリアパネル３ｄとにより構成される表示部側筐体部３と、を備えて構成される。
【００１５】
操作部側筐体部２は、フロントパネル２ａの表面に、操作部１１と、携帯電話装置１の使用者が通話時に発した音声が入力される音声入力部１２と、が露出するように構成される。
操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、を含む複数のキーから構成されている。
【００１６】
操作部側筐体部２は、図２に示すように、一方の側面に、所定の機能が割り当てられているサイドキー３０と、外部メモリの挿入及び取り出しが行われるインターフェース用のキャップ３１と、を備えている。また、操作部側筐体部２は、携帯電話装置１が水濡れしたことを検出する浸水状態検出部（図示せず）を備えている。この浸水状態検出部は、操作部側筐体部２の表面に露出した２つの端子部（図示せず）を備え、この２つの端子部間が水分によって導通して短絡されることにより、水を検出する。
操作部側筐体部２の側面には、外部機器（例えば、ホスト装置）と通信を行うためのインターフェースを覆うキャップが設けられている。
【００１７】
表示部側筐体部３は、フロントパネル３ａに、各種情報を表示するためのディスプレイ２１と、通話の相手側の音声を出力するレシーバ２２とが露出するように構成される。
表示部側筐体部３は、一方の側面に、スライドキー３２を備えている。また、表示部側筐体部３のリアパネル３ｄ表面には、被写体を撮像するカメラ３３と、被写体に光を照射するライト３４と、が露出して設けられている。なお、カメラ３３とライト３４は、カメラモジュールを構成する。
【００１８】
操作部側筐体部２の上端部と表示部側筐体部３の下端部とは、図１に示すように、ヒンジ機構４（連結部）を介して連結されている。また、携帯電話装置１は、ヒンジ機構４を介して連結された操作部側筐体部２と表示部側筐体部３とを相対的に動かすことにより、操作部側筐体部２の表面と表示部側筐体部３の表面とが互いに向き合って折り畳まれた状態（互いに重なり合う第１の状態、閉状態）にしたり、操作部側筐体部２の表面と表示部側筐体部３との表面とが外部に露出して互いに開いた状態（重なり合う程度が折畳み状態よりも小さい第２の状態、開状態）にしたりできる。
なお、本実施形態において、ヒンジ機構４による折り畳み式の携帯電話装置１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転式や、両筐体２、３を、２軸ヒンジを介して連結したものでも良い。また、形態が変化しないストレートタイプであっても良い。
【００１９】
操作部側筐体部２は、図３に示すように、フロントパネル２ａと、フロントケース２ｂと（図３においてはフロントパネル２ａとフロントケース２ｂとは結合されている）、上述した操作部１１を備えるキーシート４０と、配線基板４５と、を備える。キーシート４０は、全体がラバーで構成されており、表面に操作部１１を構成する複数のキー（押し子）が形成されている。
【００２０】
配線基板４５は、フロントパネル２ａ側の面に複数のキースイッチＡ（図７参照）を有し、それぞれのキースイッチＡは、椀状に湾曲して立体的に形成された金属板のメタルドームを有する構造になっている。メタルドームは、その椀状形状の頂点が押圧されると、配線基板４５の表面に印刷された不図示の電気回路に形成されるスイッチ端子に接触して電気的に導通する。
また、複数のキースイッチＡそれぞれの近傍には、複数の光照射部Ｃ（例えば、ＬＥＤにより構成されている）が配置されている（図７参照）。これら複数の光照射部Ｃは、それぞれ、複数のキースイッチＡを照射可能となっている。
なお、配線基板４５は、複数の絶縁フィルムの間に配線を挟み込んだものである。
【００２１】
フロントパネル２ａには、複数のキー孔１６が形成される。複数のキー孔１６それぞれからは、キーシート４０上に形成される機能設定操作キー１３、入力操作キー１４及び決定操作キー１５の押圧面が露出する。この露出した操作部１１を構成する機能設定操作キー１３、入力操作キー１４及び決定操作キー１５の押圧面を押し下げるように押圧することで、対応するキースイッチＡそれぞれにおけるメタルドーム（椀状形状）の頂点が押圧され、スイッチ端子に接触して電気的に導通する。
【００２２】
図４は、携帯電話装置１の機能を示す機能ブロック図である。携帯電話装置１は、図４に示すように、外部の端末と通信を行う通信部６と、通信部６により通信される情報を処理する処理部７と、を備えている。
【００２３】
通信部６は、図４に示すように、第１の使用周波数帯により外部装置と通信を行うメインアンテナ５１と、ＲＦ回路を含み、変調処理又は復調処理等の信号処理を行う通信処理部５２と、を備える。また、通信部６は、充電池（図示せず）から電源の供給を受けている。
【００２４】
メインアンテナ５１は、第１の使用周波数帯（例えば、８００ＭＨｚ）で外部装置と通信を行う。なお、本実施の形態では、第１の使用周波数帯として、８００ＭＨｚとしたが、これ以外の周波数帯であっても良い。また、メインアンテナ５１は、第１の使用周波数帯の他に、第２の使用周波数帯（例えば、２ＧＨｚ）に対応できる、いわゆるデュアルバンド対応型による構成であっても良いし、更に、第３の使用周波数帯にも対応できる複数バンド対応型により構成されていても良い。
【００２５】
通信処理部５２は、メインアンテナ５１によって受信した信号を復調処理し、処理後の信号を処理部７に供給し、処理部７から供給された信号を変調処理し、メインアンテナ５１を介して外部装置に送信する。
【００２６】
処理部７は、図４に示すように、操作部１１と、音声入力部１２と、ディスプレイ２１と、レシーバ２２と、所定の演算処理を行うＣＰＵ７１と、所定のデータが格納されているメモリ７２と、所定の音処理を行う音響処理部７３と、所定の画像処理を行う画像処理部７４と、一定周期で振動するモータ７５と、被写体を撮像するカメラ３３と、着信音等が出力されるスピーカ７０ａ、７０ｂと、を備えている。また、処理部７は、充電池（図示せず）から電源の供給を受けている。
【００２７】
このように構成される携帯電話装置１は、例えば、ダイバーが海へ潜水する際に海中においても利用できるように、防水機能を有している。また、携帯電話装置１は、水圧を負荷として検出する機能を有しており、この携帯電話装置１によれば、水圧センサを別途設けることなく水深の検出を行うことができる。以下に、携帯電話装置１に係る当該機能を発揮するための構成と動作について詳述する。
【００２８】
携帯電話装置１は、図５に示すように、操作検出部１０１と、浸水状態検出部１０２と、記憶部１０３と、報知部１０４と、制御部１０５とを備えている。
操作検出部１０１は、操作部１１に対する所定の押圧力での押圧操作を検出する。浸水状態検出部１０２は、携帯電話装置１が水に濡れたことを検出する。記憶部１０３は、押圧力と水深とが対応付けられた第１の情報を記憶する。
制御部１０５は、浸水状態検出部１０２により浸水状態が検出されていない状態で操作検出部１０１により押圧操作が検出されると、押圧操作に応じた第１の制御（例えば、通話時における制御や、メールの送受信における制御や、カメラによる撮像時における制御）を行う。また、制御部１０５は、浸水状態検出部１０２により浸水状態が検出された状態で操作検出部１０１により押圧操作が検出されると、押圧操作に伴う押圧力と第１の情報とに基づいて水深を割り出すと共に、割り出された水深の結果を報知部１０４により報知する第２の制御を行う。
報知部１０４は、制御部１０５によって割りだされた水深を所定の態様で報知する（例えば、ＬＥＤやディスプレイ２１のバックライトを発光させたり、モータ７５を駆動させたりする）。
【００２９】
ここで、水圧検出について説明する。操作検出部１０１は、操作部１１を構成する複数のキーそれぞれに対応して配置される複数のキースイッチＡ（図７参照）に相当する。浸水状態検出部１０２は、操作部側筐体部２に設けられた２つの端子部（図示しないが、例えば、外部端子と接続可能な充電端子や接続コネクタ）を備える浸水状態検出部に相当する。より具体的には、浸水状態検出部１０２は、２つの端子部間の抵抗値に基づき短絡状態を検出し、短絡状態が検出された場合には携帯電話装置１の浸水状態を検出したものとみなす。
記憶部１０３は、メモリ７２に相当する。報知部１０４は、光照射部Ｃ（ＬＥＤ）やディスプレイ２１やモータ７５に相当する。制御部１０５は、ＣＰＵ７１に相当する。
なお、浸水状態検出部１０２は、水を直接的に検出するセンサや、キースイッチＡの押圧状態（例えば、複数のキースイッチＡの押圧が同時に検出された状態）を判定する手法であっても良い。
【００３０】
携帯電話装置１が通常の使用（例えば、水中以外の場所（例えば、陸上）における使用）に供される場合には、浸水状態検出部１０２が浸水状態を検出していない状態で操作部１１を構成する複数のキーのうちのいずれかのキーがユーザにより押圧操作される。この状態では制御部１０５は、キーの押圧操作に応じて操作検出部１０１（キースイッチＡ）が押圧操作を検出すると、第１の制御を行う。
【００３１】
一方、携帯電話装置１が水中における使用に供される場合には、複数のキーは、水圧によって所定の押圧力で押圧されて、操作検出部１０１（キースイッチＡ）を所定の押圧力で押圧する。また、浸水状態検出部１０２は、２つの端子部が水分により導通されることで短絡状態となり、携帯電話装置１の浸水状態を検出する。そこで、制御部１０５は、浸水状態検出部１０２が浸水状態を検出した状態で操作検出部１０１が押圧操作を検出した場合には、この押圧操作は水圧による押圧（水中における使用）であると判断して、第２の制御を行う。
なお、第２の制御とは、例えば、操作検出部１０１が検出した押圧操作に伴う押圧力と、記憶部１０３に記憶された第１の情報と、に基づいて携帯電話装置１が位置する場所の水深を割り出し、この割り出された水深の結果を報知部１０４により報知する制御のことである。
【００３２】
このように、携帯電話装置１によれば、制御部１０５は、携帯電話装置１が水中における使用に供されていると判断した場合には、操作検出部１０１によって水深を割り出す。よって、携帯電話装置１に別途水圧センサを設けることを要しないので、製造コストを増加することなく水深の検出を行うことができる。
【００３３】
なお、本実施形態においては、操作検出部１０１は、複数のキースイッチＡに相当するとして説明したが、これに限られず、操作部１１に対する押圧操作を検出可能であれば他の形態であっても適用が可能である。また、操作検出部１０１は、１つであっても良い。
【００３４】
また、操作検出部１０１は、第１の押圧力（例えば、水深２ｍにおける水圧）での押圧操作を検出する第１の操作検出部と、第２の押圧力（例えば、水深４ｍにおける水圧）での押圧操作を検出する第２の操作検出部と、を有するような構成であっても良い。
このような構成の場合には、制御部１０５は、浸水状態検出部１０２により浸水状態が検出された状態で第１の操作検出部により押圧操作が検出されると、この第１の操作検出部が検出した第１の押圧力と第１の情報とに基づいて水深を割り出し、第２の操作検出部により押圧操作が検出されると、この第２の操作検出部が検出した第２の押圧力と第１の情報とに基づいて水深を割り出す。
【００３５】
このような構成によれば、携帯電話装置１は、異なる押圧力での押圧操作を検出する第１の操作検出部及び第２の操作検出部を有するので、より正確に水深を割り出せる。
【００３６】
なお、本実施形態においては、操作検出部１０１は、第１の操作検出部と、第２の操作検出部とを有する構成であったが、これに限られず、操作検出部１０１は、３以上の異なる押圧力での押圧操作をそれぞれ検出する３以上の操作検出部を有する構成であっても良い。
【００３７】
また、制御部１０５は、第２の制御を行う場合には第１の制御を抑制するような構成であっても良い。
【００３８】
例えば、携帯電話装置１は、浸水状態検出部１０２により浸水状態が検出された場合には、通話機能やメール機能を実行するアプリケーションの動作を抑制して、複数のキーをロックする。これにより、複数のキーに対応して配置されたキースイッチＡが水圧により押圧されても、通話機能やメール機能は実行されない。
【００３９】
このような構成によれば、携帯電話装置１は、水中において、水圧によって複数のキーが押圧されて生じる誤動作を抑制できる。
【００４０】
また、報知部１０４は、光を照射する光照射部Ｃを有するような構成であっても良い。
このような構成の場合には、制御部１０５は、割り出された水深の結果を光照射部Ｃによる光の照射により報知する。
【００４１】
例えば、携帯電話装置１は、複数のキーを、光透過性を有する部材から構成すると共に、報知部１０４を、操作検出部１０１に対応して配置した光照射部Ｃ（ＬＥＤ）を含んで構成するものとする。そして、制御部１０５は、浸水状態検出部１０２により浸水状態が検出された状態で操作検出部１０１により押圧操作が検出されると、この操作検出部１０１が検出した押圧力から水深を割り出すと共に、押圧操作を検出した操作検出部１０１に対応して配置された光照射部Ｃを発光させてこの操作検出部１０１に向かって光を照射させる。
【００４２】
このような構成によれば、光照射部Ｃ（ＬＥＤ）から操作検出部１０１（キースイッチＡ）に向かって照射された光は、この操作検出部１０１（キースイッチＡ）に重なり合って配置されるキーを透過して外部に到達する。これにより、押圧操作を検出した操作検出部１０１（キースイッチＡ）に対応するキーを通して、光照射部Ｃ（ＬＥＤ）から照射された光をユーザに視認させられるので、割り出された水深をユーザに視覚的に報知できる。
【００４３】
また、携帯電話装置１は、複数のキーを有して構成されるテンキー（入力操作キー１４のうち１〜９及び０の数字が割り当てられたキー）を有し、操作検出部１０１は、テンキーを構成する複数のキーそれぞれに対する押圧操作を検出可能に構成され、光照射部Ｃは、テンキーを構成する複数のキーそれぞれを照射可能に構成されるような構成であっても良い。
このような構成の場合には、記憶部１０３は、水深とテンキーを構成する複数のキーそれぞれに割り当てられた数字とが対応付けられた第２の情報を記憶し、制御部１０５は、操作検出部１０１が検出した押圧力と第１の情報とに基づいて割り出された水深と、第２の情報と、に基づいて当該割り出された水深に対応する数字を割り出すと共に、光照射部Ｃにより、割り出された数字が割り当てられたキーに光を照射する。
【００４４】
例えば、携帯電話装置１は、操作検出部１０１を、テンキーのそれぞれに対応して配置される複数のキースイッチＡにより構成し、光照射部Ｃを、これら複数のキースイッチＡそれぞれに対応して配置される複数のＬＥＤにより構成するものとする。
そして、制御部１０５は、浸水状態検出部１０２により浸水状態が検出された状態で操作検出部１０１により押圧操作が検出されると、この操作検出部１０１が検出した押圧力から水深を割り出すと共に、割り出した水深に対応する数字が割り当てられたキーに光照射部Ｃから光を照射する。
【００４５】
このような構成によれば、携帯電話装置１は、割り出した水深に対応付けられた数字が割り当てられたキーを光照射部Ｃにより照射して点灯させるので、ユーザは、点灯したキーを確認することで、水深を容易に認識できる。
【００４６】
また、記憶部１０３は、第２の情報として、水深の基準値と、テンキーを構成する複数のキーのうち数字の１が割り当てられたキーと、を対応付けて記憶すると共に、水深の基準値に自然数を乗じて得た値と、テンキーを構成する複数のキーのうち当該自然数が割り当てられたキーと、を対応付けて記憶するような構成であっても良い。
【００４７】
例えば、携帯電話装置１では、水深の基準値を「２ｍ」と設定した場合、記憶部１０３は、第２の情報として「水深２ｍ」と「１」キーとを対応付けて記憶する。また、「水深４ｍ」と「２」キーとを、「水深６ｍ」と「３」キーとを、・・・、「水深１８ｍ」と「９」キーとを対応付けて記憶する。
このような構成によれば、携帯電話装置１は、光照射部Ｃにより照射されて点灯するキーの数字に水深の基準値を乗じて得られた値が割り出された水深を示すので、ユーザは、点灯したテンキー１４を確認することで、水深をより容易に把握できる。
【００４８】
＜水没検出方法＞
ここで、水没したときの検出方法について説明する。
携帯電話装置１では、上述したように、操作部側筐体部２の表面に露出した２つの端子部を有する浸水状態検出部を備えている。そして、この浸水状態検出部は、操作部側筐体部２の表面に水分が付着し、この付着した水分により２つの端子部間が導通して短絡することで水を検出する。
【００４９】
＜水深検出方法＞
つぎに、水深の検出方法について図７を参照しながら説明する。図７は、図１のＸ−Ｘ線断面図である。
携帯電話装置１では、操作部１１は、複数のキーを備えており、当該操作部１１を構成する複数のキーがキーシート４０上に設けられている。したがって、操作部１１は、水没状態において、直接水圧がかかる状態にある。
また、携帯電話装置１では、図７に示すように、操作部１１を構成する複数キーのそれぞれに対応して、キースイッチＡが設けられており、これら複数のキースイッチＡとキーシート４０のラバー厚みとを適宜組み合わせて設定し、所定の圧力毎（所定の水深度毎）に１つずつキースイッチＡが順番に押圧される構成にする。
つまり本発明に係る携帯電話装置１は、既存の装置構成を利用して、浸水状態検出部１０２と、複数のキースイッチＡとにより、水圧をリアルタイムに検出することができる水深（水圧）計の機能を有している。
これにより、携帯電話装置１は、水圧センサを別途設けることなく水深の検出を行うことができる。
【００５０】
＜水深表示方法＞
つぎに、水深の表示方法について説明する。
キーシート４０には、図７に示すように、複数の光照射部Ｃ（例えば、ＬＥＤにより構成されている）が形成されており、各キーを背後から照らすように構成されている。携帯電話装置１では、これら複数の光照射部Ｃをレベルメータのように利用して、水深が一目で分かるように制御する。例えば、制御部１０５は、水深が２ｍでは、ＬＥＤを１個点灯し、水深が４ｍでは、２個点灯し、・・・、水深が２０ｍでは１０個点灯する等の制御を行っても良い。
【００５１】
また、ディスプレイ２１により水深を表示するような構成としても良い。
なお、ディスプレイ２１により水深を表示するような構成の場合には、ディスプレイ２１のバックライトは、約５０ｍＡの電流を消費する。また、バックライトを長時間点灯すると、電池の負担が大きくなってしまう。これに対してＬＥＤ一個の消費電流は、２ｍＡ程度とバックライトに比べて消費量が少なく、また、長時間の点灯ができるため、ユーザは、都合に合わせて操作部１１を眺めることにより容易に水深の確認ができる（図６を参照。）。
【００５２】
＜水没警告＞
つぎに、水没したときの警告方法について説明する。
防水機能を有する装置であっても、その防水機能を超えるような水没等の環境下に置かれる場合がある。本発明に係る携帯電話装置１は、水没検出機能により水中にあることを検出し、水没時間を記録する機能と、筐体の表面に温度センサを搭載し、水温を検出する機能とを有している。
【００５３】
携帯電話装置１では、水没時間を記録する機能と、水温を検出する機能とにより得られた情報から、１．水深（水圧）が設定した水深を超えた場合、２．水没時間が設定時間を超えた場合、３．水温が設定温度範囲を超えた場合、のいずれかに該当する場合に所定の警告（例えば、ＬＥＤ等の発光動作や、モータ７５の駆動による警告）を行う。
【００５４】
つぎに、キーシート４０の具体的な構成について説明する。
なお、以下の実施例では、キーシート４０上に形成されるテンキー（１〜９、０）と、＊キーと、＃キーの１２個のキーを利用して水深検出を行う構成とする。また、携帯電話装置１では、各キーに対応するキースイッチＡは、特定の水圧で押下されるようにそれぞれ設定され、水深が深くなる毎に１つずつ押下されるように構成される。
【００５５】
携帯電話装置１では、図７に示すように、水圧がかかると、この水圧によりキーシート４０に設けられた各キーが押圧される。各キーに対応して配置された各キースイッチＡは、上述したように、配線基板４５上のパターンをメタルドーム等により押し付けてスイッチングさせており、メタルドーム等により一定の加重が確保できる。
【００５６】
携帯電話装置１は、浸水状態検出部を構成する２つの端子部間が水分により導通して短絡された状態を検出した場合に、水没していると判定する。
携帯電話装置１は、水没していると判定した後は、水圧によるキーの誤入力を抑制するために、キーロックを行う。
【００５７】
ここで、１つのキー面積を約１３（ｍｍ）×７（ｍｍ）＝９１（ｍｍ２）であるとすると、水深１ｍでの水圧は１（ｇ／ｃｍ３）より９１（ｍｍ２）×１０００（ｍｍ）／１０００（ｍｍ）３＝９１（ｇ）となり、水深２ｍでは９１×２＝１８２（ｇ）となり、水深４ｍでは９１×４＝３６４（ｇ）となり、・・・、水深２０ｍでは９１×４＝１８２０（ｇ）となる。
記憶部１０３は、このような押圧力（重さ）と水深とを対応付けて第１の情報として記憶している。
【００５８】
したがって、例えば、テンキーの「１」のキーに押下されるキースイッチＡを１８２（ｇ）の押圧力に設定し、テンキーの「２」のキーに押下されるキースイッチＡを３６４（ｇ）の押圧力に設定することにより、何個のキーが押圧されたかにより押圧力（重さ）が分かり、当該押圧力から水深を検出することができる。
【００５９】
なお、携帯電話装置１は、水没後において所定の機能（例えば、水中カメラの機能）を使いたい場合には、特定のキーのみ操作可能とするような構成であっても良い。
【００６０】
また、携帯電話装置１では、検出した水深によりテンキーを点灯表示させる構成であっても良い。例えば、４（ｍ）の水深で「１」キーと「２」キーに対応するキースイッチＡが押下されれば、「１」キーの背面及び「２」キーの背面に配置されている光照射部Ｃ（ＬＥＤ）を点灯させることにより、水深が４（ｍ）であることをユーザに視覚的に報知することができる（図８を参照）。また、携帯電話装置１は、他の報知例として、ディスプレイ２１により「水深○○ｍ」と表示する構成であっても良い。
【００６１】
＜動作方法＞
つぎに、携帯電話装置１の動作について、図９に示すフローチャートを参照しながら説明する。
【００６２】
ステップＳ１において、制御部１０５は、水没の監視を開始する。制御部１０５は、間欠的に待受受信を行うタイミングで水没の監視を行っても良いし、間欠的又は連続的に任意のタイミングで水没の監視を行っても良い。
なお、メインアンテナ５１が待ち受け状態時に、間欠的に図示しない基地局から信号を受信するよう構成されている場合には、この水没の監視をメインアンテナ５１の間欠的な受信時に対応して行うようにしても良い。こうすることにより、メインアンテナ５１により信号が受信される際に消費される電力を有効活用して水没の監視を行うことができる。
【００６３】
ステップＳ２において、制御部１０５は、浸水状態検出部により浸水状態の検出を行う。制御部１０５は、浸水状態検出部の２つの端子部が導通して短絡されていることを検出した場合には、水没を検出したものとして、ステップＳ３に進む。また、浸水状態検出部の２つの端子部が導通していないと検出した場合には、ステップＳ１に戻る。
【００６４】
ステップＳ３において、制御部１０５は、水没を検出した場合には、水圧によるキー押下の誤動作を抑制するために、キーロックの制御を行う。
【００６５】
ステップＳ４において、制御部１０５は、押下されているキースイッチＡの数ｎをカウントするカウンタをゼロにする（ｎ＝０）。
【００６６】
ステップＳ５において、制御部１０５は、設定されているｎ番目のキーに対応するキースイッチＡが押下されているか否かを判定する。ｎ番目のキーに対応するキースイッチＡが押下されていると判定した場合には、ステップＳ６に進み、ｎ番目のキーに対応するキースイッチＡが押下されていないと判定した場合には、ステップＳ７に進む。各キースイッチＡは、対応するキー毎に押下される圧力（押下力）が異なっている。したがって、制御部１０５は、押下されるキースイッチＡを監視することで、キースイッチＡへの押下力を検出でき、この検出した押下力と記憶部１０３に記憶される第１の情報とに基づいて水深を割り出すことができる。
【００６７】
ステップＳ６において、制御部１０５は、ｎ番目のキーに対応する光照射部（ＬＥＤ）Ｃを点灯するように制御する。例えば、制御部１０５は、「１」キーに対応するキースイッチＡのみ押下されている場合には、「１」キーに対応する光照射部（ＬＥＤ）Ｃのみ点灯するように制御する。
【００６８】
ステップＳ７において、制御部１０５は、押下されているキースイッチＡの数ｎを１つインクリメントする（ｎ＝ｎ＋１）。
【００６９】
ステップＳ８において、制御部１０５は、押下されているキースイッチＡの数ｎが規定の数（キーの数＋１）に達したか否かを判断する。規定の数に達していると判断した場合には（Ｙｅｓ）、ステップＳ９に進み、規定の数に達していないと判断した場合には、ステップＳ５に戻る。
【００７０】
ステップＳ９において、制御部１０５は、設定した深度よりも深いか否かを判断する。設定した深度よりも深いと判断した場合には（Ｙｅｓ）、ステップＳ１０に進み、設定した深度よりも深くないと判断した場合には（Ｎｏ）、ステップＳ１２又はステップＳ１３に進む。
【００７１】
ステップＳ１０において、制御部１０５は、設定深度よりも深い旨を表示する。また、図示はしないが、深度が設定値を超えている場合、その旨を履歴として記憶部１０３に記憶しても良い。これにより規格外の使用がなされたことが記憶部１０３に記憶されるため、通常の故障なのか、規格外使用に起因する故障なのかが記憶部１０３の内容を参照することで容易に判定することができ、故障の原因を探る手掛かりとすることができる。また、この場合、故障を未然に抑制するために電源をオフにしても良い。
【００７２】
ステップＳ１１において、制御部１０５は、警告動作を行う。なお、制御部１０５は、その後、設定深度の範囲内に戻れば、ステップＳ１０における表示と、ステップＳ１１における警告動作を解除する。
【００７３】
ステップＳ１２において、制御部１０５は、ステップＳ１０における表示と、ステップＳ１１における警告動作が実行されている場合であって、設定深度の範囲内に戻ったことを確認した場合には、ステップＳ１０における表示と、ステップＳ１１における警告動作を解除する。
【００７４】
ステップＳ１３において、制御部１０５は、浸水状態検出部により浸水状態の検出を行う。制御部１０５は、浸水状態検出部の２つの端子部が導通して短絡されていることを検出した場合には、水没し続けていることを判断し、ステップＳ４に戻る。また、浸水状態検出部の２つの端子部が導通していないと検出した場合には、ステップＳ１４に進む。
【００７５】
ステップＳ１４において、制御部１０５は、ステップＳ３の工程により開始したキーロックの制御を解除する。
【００７６】
ステップＳ１５において、制御部１０５は、水没の監視を終了する。
【００７７】
なお、携帯電話装置１は、ユーザが予め、水深の範囲を設定できるようにしておき、範囲を超えた時に警告するような設定部を備える構成であっても良い。
【００７８】
また、従来構成に係る携帯電話装置においては、水圧センサから出力される電気信号量を処理部（ＣＰＵ）の読めるデジタル値に変換することにより水深の検出を行っており、外付けのセンサが必要なため製造コストの増加に繋がっていた。一方で本発明に係る携帯電話装置１は、既存の部品であるラバーキーと筐体の構造、及びキースイッチの拡張、及び水圧が水深に比例して等しく筐体に作用する事象を利用することにより水深を検出するので、製造コストを増加することなく水深の検出を行うことができる。
【００７９】
また、従来構成に係る携帯電話装置では、水深を液晶ディスプレイ等に表示することによりユーザに報知していた。一方で本発明に係る携帯電話装置１では、既存の部品であるキーの照明する部材（キーＬＥＤ）の点灯パターンを水深によって変化させて、レベルメータのように表示制御することによりユーザに報知する。したがって、携帯電話装置１は、一目で水深を認識させることができ、また、液晶ディスプレイに水深表示をさせることに比べて大幅に消費電流の削減を図ることができる。
また、携帯電話装置１では、例えば、数秒程度で消灯してしまう液晶ディスプレイに比べて、低消費電力で長時間の水深表示が可能であり、ユーザは、容易に水深を確認することができる効果を奏する。
【００８０】
また、従来構成に係る携帯電話装置では、いわゆるダイバー向けの仕様ではないため、だいたい１ｍ程度の水没状態しか想定していない。このような携帯電話装置をより防水性能を向上させてダイバー向けの仕様にしようとした場合には、種々の問題（例えば、キーが水圧によって押されてしまい、誤動作を起こしてしまう等）が予想される。本発明に係る携帯電話装置１では、水没判定によりキーロックをかけることによりキーの誤動作を防止する構成になっている。
【００８１】
また、本発明に係る携帯電話装置１では、ダイバー機能を持たせることにより、予め設定した範囲（例えば、水深）を超えたときに、水中にあっても認識できるような警告をユーザに与える構成になっており、未然に事故を抑制することができる。
【図面の簡単な説明】
【００８２】
【図１】本発明に係る携帯電話装置の外観斜視図である。
【図２】携帯電話装置を折畳んだ状態の斜視図である。
【図３】操作部側筐体部に内蔵される部材の分解斜視図である。
【図４】本発明に係る携帯電話装置の機能を示すブロック図である。
【図５】本発明に係る携帯電話装置のダイバー機能を発揮する構成に係るブロック図である。
【図６】ＬＥＤの消費電力とディスプレイのバックライトの消費電力との対比を示す図である。
【図７】図１のＸ−Ｘ線断面図である。
【図８】テンキーにより深度を表示する際の表示形態の一例を示す図である。
【図９】本発明に係る携帯電話装置の動作の説明に供するフローチャートである。
【符号の説明】
【００８３】
１  携帯電話装置
２  操作部側筐体部
３  表示部側筐体部
１０１  操作検出部
１０２  浸水状態検出部
１０３  記憶部
１０４  報知部
１０５  制御部
【図１】
2010035053.tif 000003
【図２】
2010035053.tif 000004
【図３】
2010035053.tif 000005
【図４】
2010035053.tif 000006
【図５】
2010035053.tif 000007
【図６】
2010035053.tif 000008
【図７】
2010035053.tif 000009
【図８】
2010035053.tif 000010
【図９】
2010035053.tif 000011